(57)【特許請求の範囲】
【請求項１】
無端状に連結することによって除塵機のスクリーンとして使用される除塵機用スクリーンパネルにおいて、プレス成形により複数の略同一高さの凸部を形成した金属プレートの間に、プレス成形により複数の略同一高さの凸部を形成した、し渣を掻き揚げるフック付の金属プレートを配設し、前記凸部を介して各金属プレートを重ね合わせ、該重ね合わせた金属プレートを、該金属プレートの側部が嵌り込むように断面コ字状に形成した外枠と、該外枠の両端に固定されるエンドプレートとからなる枠体により固定し一体化してなることを特徴とする除塵機用スクリーンパネル。
【発明の詳細な説明】
【技術分野】
【０００１】
本発明は、除塵機用スクリーンパネルに関し、特に、従来のように金属プレートと間隔保持部材を交互にボルトに通して組み立てる必要がなく、また、間隔保持部材も不要として、簡単かつ安価に製作することができる除塵機用スクリーンパネルに関するものである。
【背景技術】
【０００２】
例えば、スクリーン式除塵機は、無端状のスクリーンを水路に配設するとともに、このスクリーンを回転駆動し、該スクリーンにて捕捉された夾雑物を掻き揚げて除去するようにしている。
無端状のスクリーンは、多数のスクリーンパネルを無端状に連結することにより形成されているが、各スクリーンパネルは、多数の金属プレートを厚み方向に所定間隔で並設することにより形成されている。
このようなスクリーンパネルは、スクリーンの目幅を確保するために、多数の金属プレートの間に間隔保持部材を挟み込むとともに、該間隔保持部材のずれ止を兼用する通しボルトで、上下に位置するスクリーンパネルとリンクさせながら組み立てる構造を有している。
【０００３】
しかしながら、上記従来のスクリーンパネルは、多数の金属プレートの間に間隔保持部材を挟み込むとともに、該間隔保持部材のずれ止を兼用する通しボルトで、上下に位置するスクリーンパネルとリンクさせながら組み立てる必要があるため、組み立て作業に非常に手間が掛かるという問題があった。
【発明の開示】
【発明が解決しようとする課題】
【０００４】
本発明は、上記従来のスクリーンパネルの有する問題点に鑑み、従来のように金属プレートと間隔保持部材を交互にボルトに通して組み立てる必要がなく、また、間隔保持部材も不要として、簡単かつ安価に製作することができる除塵機用スクリーンパネルを提供することを目的とする。
【課題を解決するための手段】
【０００５】
上記目的を達成するため、本発明の除塵機用スクリーンパネルは、無端状に連結することによって除塵機のスクリーンとして使用される除塵機用スクリーンパネルにおいて、プレス成形により複数の略同一高さの凸部を形成した金属プレートの間に、プレス成形により複数の略同一高さの凸部を形成した、し渣を掻き揚げるフック付の金属プレートを配設し、前記凸部を介して各金属プレートを重ね合わせ、該重ね合わせた金属プレートを、該金属プレートの側部が嵌り込むように断面コ字状に形成した外枠と、該外枠の両端に固定されるエンドプレートとからなる枠体により固定し一体化してなることを特徴とする。
【発明の効果】
【０００６】
本発明の除塵機用スクリーンパネルによれば、金属プレートを重ね合わせて枠体で固定するだけで簡単に製作することができ、従来のように金属プレートと間隔保持部材を交互にボルトに通して組み立てる必要がなく、さらに、間隔保持部材も不要となり、安価に製作することができる。
【０００７】
そして、凸部はプレス成形によることから、多数の金属プレートに対しても容易に形成することができ、また、この凸部の高さを変えることにより容易にスクリーンの目幅を変更することができる。
【発明を実施するための最良の形態】
【０００８】
以下、本発明の除塵機用スクリーンパネルの実施の形態を図面に基づいて説明する。
【実施例１】
【０００９】
図１〜図２に、本発明の除塵機用スクリーンパネルの第１実施例を示す。
この除塵機用スクリーンパネルは、多数の金属プレート１にプレス成形により複数の略同一高さの凸条２を形成するとともに、該凸条２を介して各金属プレート１を重ね合わせ、該重ね合わせた金属プレート１を枠体３により固定し一体化している。
凸条２は、同一の金属プレート１においては略同一高さとするが、異なる金属プレート１同士では異なる高さにすることもできる。
【００１０】
金属プレート１は、本実施例では、隣接する金属プレート１で位置が異なるように、複数の断面Ｖ字状の凸条２が片面にプレス成形されている。
そして、各凸条２を同じ側に向けて金属プレート１を重ね合わせることにより、金属プレート１間にスクリーンの目幅となる所定の空隙を確保している。
なお、本実施例の除塵機用スクリーンパネルは、除塵機のスクリーンとして無端状に連結して使用されるものであり、このため、し渣を掻き揚げるフック付の金属プレート１ａが部分的に配設されている。
【００１１】
枠体３は、重ね合わせた金属プレート１の側部に嵌着される断面コ字状の外枠３１と、該外枠３１の両端に固定されるエンドプレート３２とを備えている。
外枠３１の両端には、外方に張り出すフランジ部３３が形成されており、該フランジ部３３をエンドプレート３２に合わせて、ボルト３４を貫通し固定することにより、枠体３に保持した金属プレート１を上下左右にずれないように固定し一体化することができる。
この場合、図１に示すように、１対の外枠３１に片方のエンドプレート３２を固定しておき、外枠３１をガイドとしてその内側に金属プレートを挿入するようにすれば、容易に除塵機用スクリーンパネルを組み立てることができる。
【００１２】
一方、図３に、本発明の第２実施例の除塵機用スクリーンパネルを示す。
この除塵機用スクリーンパネルは、多数の金属プレート１にプレス成形により複数の略同一高さの凸部２を形成するとともに、該凸部２を介して各金属プレート１を重ね合わせ、該重ね合わせた金属プレート１を枠体３により固定し一体化している。
凸部２は、同一の金属プレート１においては略同一高さとするが、異なる金属プレート１同士では異なる高さにすることもできる。
【００１３】
金属プレート１は、本実施例では、複数の長円状の凸部２が片面にプレス成形されており、各凸部２を同じ側に向けて金属プレート１を重ね合わせることにより、金属プレート１間にスクリーンの目幅となる所定の空隙を確保している。
また、本実施例の除塵機用スクリーンパネルは、除塵機のスクリーンとして無端状に連結して使用されるものであり、このため、し渣を掻き揚げるフック付の金属プレート１ａが部分的に配設されている。
【００１４】
枠体３は、重ね合わせた金属プレート１の側部に嵌着される断面コ字状の外枠３１と、該外枠３１の両端に固定されるエンドプレート３２とを備えている。
外枠３１の両端には、外方に張り出すフランジ部３３が形成されており、該フランジ部３３をエンドプレート３２に合わせて、ボルト３４を貫通し固定することにより、枠体３に保持した金属プレート１を上下左右にずれないように固定し一体化することができる。
【００１５】
かくして、本発明の各実施例の除塵機用スクリーンパネルは、多数の金属プレート１にプレス成形により複数の略同一高さの凸部２を形成するとともに、該凸部２を介して各金属プレート１を重ね合わせ、該重ね合わせた金属プレート１を枠体３により固定し一体化することから、金属プレート１を重ね合わせて枠体３で固定するだけで簡単に製作することができ、従来のように金属プレートと間隔保持部材を交互にボルトに通して組み立てる必要がなく、さらに、間隔保持部材も不要となり、安価に製作することができる。
そして、凸部２はプレス成形によることから、多数の金属プレート１に対しても容易に形成することができ、また、この凸部２の高さを変えることにより容易にスクリーンの目幅を変更することができる。
【００１６】
以上、本発明の除塵機用スクリーンパネルについて、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００１７】
本発明の除塵機用スクリーンパネルによれば、通水性の除塵機用スクリーンパネルを簡単かつ安価に製作できることから、得られた除塵機用スクリーンパネルは、除塵機のスクリーンの用途に好適に用いることができる。
【図面の簡単な説明】
【００１８】
【図１】本発明の除塵機用スクリーンパネルの第１実施例を示す分解斜視図である。
【図２】同除塵機用スクリーンパネルを示し、（ａ）はその正面図、（ｂ）は金属プレートの拡大斜視図である。
【図３】本発明の除塵機用スクリーンパネルの第２実施例を示し、（ａ）はその正面図、（ｂ）は金属プレートの拡大斜視図である。
【符号の説明】
【００１９】
１    金属プレート
２    凸部（凸条）
３    枠体
３１  外枠
３２  エンドプレート
３３  フランジ部
３４  ボルト
【図１】
0004619681.tif 000002
【図２】
0004619681.tif 000003
【図３】
0004619681.tif 000004